(57)【要約】【課題】タブレットを操作するにあたり、机の上に置いて指で操作しているのは一般的であり、立って仕事をする場合でも、タブレットの背面に装置を付けて何とか便利に使用している。しかし、寝ながらタブレットを使用する時、または寝たきりの病人がタブレットを操作する場合は、容易ではない。寝ながら操作出来るタブレット操作補助具を提供する。【解決手段】合成樹脂の素材からなるタブレット操作補助具本体は、縦長の長方形にして、下部の腹部に接する部分を、半円状の窪みにした。また、タブレット操作補助具本体に既存のタブレットを、横に置いても縦に置いてもずれないように、且タブレットが落ちないように吸盤またはＬ型フレームを設けた事を特徴とする。【選択図】図３
2019003411.tif 000002
【特許請求の範囲】
【請求項１】
合成樹脂の素材からなる縦長の長方形の、下部の腹部に接する部分を半円状の窪みとしたタブレット操作補助具本体（１）の正面に既存のタブレット（４）が横向きまたは縦向きに設置できて、且容易には落ちない装置を設けたタブレット操作補助具。
【請求項２】
合成樹脂の素材からなる縦長の長方形の下部の腹部に接する部分を半円状の窪みとしたタブレット操作補助具本体（１）の正面に、正面から見てもＬ型であると同時に断面もＬ型フレームを一対左右線対称で且左右に回動自在に開閉できる請求項１に記載のタブレット操作補助具。
【請求項３】
タブレット操作補助具本体（１）の正面に吸盤を設け、背面側から固定レバーで操作し、タブレットをタブレット操作補助具本体に固定出来るようにした請求項１に記載のタブレット操作補助具。
【請求項４】
合成樹脂を素材とする、タブレット操作補助具本体（１）及びＬ型フレームは、木材または金属製の素材に変えて使用出来る請求項１記載のブレット操作補助具。
【発明の詳細な説明】
【技術分野】
【０００１】
本発明は、タブレットを操作補助具に取り付けて、操作補助具を操作する人の腹部で支えてタブレットを操作する事が出来るタブレット操作補助具に関する。
【背景技術】
【０００２】
従来、タブレットは卓上で操作するのが一般的であるが、タブレットの背面にタブレットを支える装置を取り付けて手に持って操作するものもある。
吸盤を使用してタブレットが落ちないようにタブレットの背面に吸盤を着脱可能に取り付け、手から離れないように吸盤周囲を工夫した発明は既に公報に開示されている。
本発明は、寝たままでもタブレットを使用出来る構造であり、他に例を見ない。
特許文献１、特開２０１６−２０６８２０号公報（タブレット用ハンドホルダー）
特許文献２、特開２０１６−０２４４７３号公報（タブレット用ハンドホルダー）
に開示されている。
【先行技術文献】
【特許文献】
【０００３】
【特許文献１】特開２０１６−２０６８２０号公報
【特許文献２】特開２０１６−０２４４７３号公報
【発明の概要】
【発明が解決しようとする課題】
【０００４】
タブレットを操作するにあたり、机の上に置いて指またはタッチペンで操作するのが一般的であり、立って仕事をする場合でも、タブレットの背面に装置を付けて使用している。
しかし、寝ながらタブレットを使用する時、特に病人・高齢者がタブレットを操作する場合は、容易ではない。寝ながらタブレットを操作出来るようにする事が寝たきりの病人・高齢者のためにも必要であり、これは解決しなければならない課題である。
【課題を解決するための手段】
【０００５】
課題を解決する手段として本発明は、以下の構成とした。
合成樹脂の素材からなるタブレット操作補助具本体（１）は、縦長の長方形にして、下部の腹部に接する部分を、半円状の窪み（１−１）にした。
タブレット操作補助具本体（１）の正面に、タブレットが落ちないように一対のＬ型フレームを正面左右に回動自在になるように設置する。
【０００６】
左Ｌ型フレーム（２）と右Ｌ型フレーム（３）は、タブレット操作補助具本体（１）の正面に線対称に設ける。
左Ｌ型フレーム（２）は正面から見てＬ型であるが、断面もL型とし、左フレームの上面に張り出した部分（２−１）と窪みの部分（２−２）ができるようにタブレット操作補助具本体（１）に取り付ける。
またＬ型フレーム底面に上凸部（２−３）と下凸部（２−４）を設け、タブレット操作補助具本体（１）に上の溝（１−２）と下の溝（１−３）を設ける。Ｌ型フレームの上凸部を上の溝（１−２）に下凸部を下の溝（１−３）に装置すると、左右のL型フレームは左右に開閉させることが出来る。
【０００７】
図５、図６、図７、図８のように、Ｌ型フレームの代わりに、タブレット操作補助具本体（１）の正面中央に吸盤（３−２）を設けて、背面側から固定レバー（３−１）で操作し、タブレットを固定して使用できるようにした。
【０００８】
本体を合成樹脂に代わって木製あるいは金属製に変えることができる。
【発明の効果】
【０００９】
本発明は下記の効果を有する。
補助具本体は使用する人が横たわった状態で腹部の上に立てて置くため、一般の人も、寝たきりの病人・高齢者も寝たままでタブレットを操作出来る。
右利きの人は左手で補助具本体の左上部を押さえて、右手で指またはタッチペンを用いてタブレットを操作する。左利きの人は右手で補助具本体の右上部を押さえて、左手で指またはタッチペンを用いてタブレットを操作する。両手共に空中でタブレットを支える心配がなく補助具本体の上部を押さえることにより逆に補助具本体が腕を支えてくれる。また操作する腕は、上腕は腹部の上にあり、上肢のみを動かすことにより楽に操作することが出来る。
また、立って仕事をする人も、タブレット操作補助具を使うと、楽に仕事が出来る。
【図面の簡単な説明】
【００１０】
【図１】タブレット操作補助具正面図
【図２】タブレット操作補助具本体と左右Ｌ型フレームの関係側面図「Ａ」左Ｌ型フレームと本体の左方向から見た側面図「Ｂ」左Ｌ型フレームと本体の右方向から見た側面図「Ｃ」右 L型フレームと本体の左方向から見た側面図「Ｄ」右 L型フレームと本体の右方向から見た側面図
【図３】タブレット操作補助具にタブレットを横にセットした正面図
【図４】タブレット操作補助具にタブレットを縦にセットした正面図
【図５】タブレット操作補助具に吸盤を取り付けた正面図
【図６】吸盤を用いてタブレットを横に装着した正面図
【図７】タブレット操作補助具背面図
【図８】タブレット操作補助具に吸盤本体を取り付けた左側面図
【図９】寝た状態でタブレットを操作するタブレット操作補助具使用説明図
【発明を実施するための形態】
【００１１】
以下，発明の実施形態について説明する。
タブレットは、卓上で安定した場所で操作するのが一般的である。
しかし、仕事で立ったままで使用することも多々ある。
またその場合に都合がいいように、吸盤を使用してタブレットが落ちないようにタブレットの背面に吸盤で真空状態にして、手から離れないように工夫したものは既にある。
しかし、寝たままでタブレットを操作する、または寝たきりの病人がタブレットを操作する必要のある場合は、本発明は有効な方法である。
寝たままでタブレットを操作する手段として本発明は、以下の構成とした。
【００１２】
合成樹脂の素材からなるタブレット操作補助具本体（１）は、縦長の長方形にして、下部の腹部に接する部分を、半円状の窪み（１−１）にした。
タブレット操作補助具本体（１）の正面に、タブレットが落ちないように一対のL型フレームを正面左右に回動自在に設置する。
【００１３】
左Ｌ型フレーム（２）と右Ｌ型フレーム（３）は、タブレット操作補助具本体（１）の正面に線対称に設ける。
左Ｌ型フレーム（２）は正面から見てＬ型であるが、断面もＬ型とし、左フレームの上面に張り出した部分（２−１）と窪みの部分（２−２）ができるようにタブレット操作補助具本体（１）に取り付ける。同様に右フレームにも上面に張り出した部分（３−１）と窪みの部分（３−２）が出来るようにタブレット操作補助具本体（１）に取り付ける。
左Ｌ型フレーム底面に上凸部（２−３）と下凸部（２−４）を設け、同様に右Ｌ型フレーム底面に上凸部（３−３）と下凸部（４−４）を設ける。またタブレット操作補助具本体（１）に上の溝（１−２）と下の溝（１−３）を設ける。左L型フレームの上凸部（２−３）及び右Ｌ型フレームの上凸部（３−３）を上の溝（１−２）に左Ｌ型フレームの下凸部及び右Ｌ型フレームの下凸部を下の溝（１−３）に装置すると、左右のＬ型フレームは左右に回動自在に開閉させることが出来る。
左フレームの窪み（２−２）と右フレームの窪み（３−２）にタブレットを差し込む。
左右のＬ型フレームを中央によせるとタブレットの両側面と底面が固定される。また左右フレーム上面の張り出した部分（２−１）と（３−１）でタブレットを支えるので、タブレット操作補助具本体（１）を顔の方向に鋭角に傾けてもタブレットは落ちない。
【００１４】
タブレット操作補助具本体（１）の正面中央にＬ型フレームに代えて吸盤（３−２）を設ける。背面側から固定レバー（３−１）で操作し、タブレットをタブレット操作補助具本体に固定出来るようにした。
タブレットを横に使用したい時は横向きに吸着させ、縦に使用したい時は縦向きに吸着させれば作業はスムーズに行え、吸盤により吸着させているのでタブレットは落ちてこない。
【００１５】
本発明の使用方法として、タブレット操作補助具本体の下部は、半円状の窪みになっているため其の部分を自分の腹部周辺にあてて、右利きの人は左手でタブレット操作補助具本体の左上部を押さえて、右手で指またはタッチペンを用いてタブレットを操作する。左利きの人は右手でタブレット操作補助具本体の右上部を押さえて、左手で指またはタッチペンを用いてタブレットを操作する。両手共に空中でタブレットを支える心配がなくタブレット操作補助具本体の上部を押さえることにより逆にタブレット操作補助具本体が腕を支えてくれる。
また操作する腕は、上腕は腹部の上にあり、上肢のみを動かすことにより楽に操作することが出来る。
夜中に目が覚めて、思いついたことをメモしたい時やパソコンを使って仕事をしたい時は、起きて机に向かわなくてはならないが、本発明のような補助具があると寝たままでも気軽に仕事が出来る。
またベッドの横のテレビを見るときは、横になったままで見るのは辛いものである。
タブレットにも、テレビを見る機能の付いたものもあるので、タブレット操作補助具を用いれば、支えた腕でタブレット操作補助具の角度を調節して、目の正面で見ることができるので楽に見られる。
腹部の上で痛いと思う時は、半円状の窪み（１−１）を大きくして、寝具上に立てることもできる。
腕でタブレット操作補助具を支えるのに苦痛を覚える人は、本体が倒れないように支柱を用いることも可能である。
また立ってタブレットを操作する人も、立ったままでタブレット操作補助具本体（１）の下の窪みを腹部に当てて、片手でタブレット操作補助具を支え、もう一方の手で指またはタッチペンを使用して操作すると、楽に操作が出来る。
【符号の説明】
【００１６】
（１）      タブレット操作補助具本体      
（１−１）  人間の腹部にあてる半円状の窪み
（１−２）  上の溝
（１−３）  下の溝
（１−４）  タッチペン固定具
（２）      左Ｌ型フレーム
（２−１）  左Ｌ型フレーム上面の張り出した部分
（２−２）  左Ｌ型フレーム窪み
（２−３）  左Ｌ型フレーム底面の上凸部
（２−４）  左Ｌ型フレーム底面の下凸部
（３）      右Ｌ型フレーム
（３−１）  右Ｌ型フレーム上面の張り出した部分
（３−２）  右Ｌ型フレーム窪み
（３−３）  右Ｌ型フレーム底面の上凸部
（３−４）  右Ｌ型フレーム底面の下凸部
（４）      吸盤本体
（４−１）   吸盤固定レバー
（４−２）  吸盤
（５）      既存のタブレット
（６）      タッチペン
【図１】
2019003411.tif 000003
【図２】
2019003411.tif 000004
【図３】
2019003411.tif 000005
【図４】
2019003411.tif 000006
【図５】
2019003411.tif 000007
【図６】
2019003411.tif 000008
【図７】
2019003411.tif 000009
【図８】
2019003411.tif 000010
【図９】
2019003411.tif 000011
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
合成樹脂の素材からなる縦長の長方形の、下部の腹部に接する部分を半円状の窪みとしたタブレット操作補助具本体（１）の正面に既存のタブレット（４）が横向きまたは縦向きに設置できて、且容易には落ちない装置を設けたタブレット操作補助具。
【請求項２】
合成樹脂の素材からなる縦長の長方形の下部の腹部に接する部分を半円状の窪みとしたタブレット操作補助具本体（１）の正面に、正面から見てもＬ型であると同時に断面もＬ型フレームを一対左右線対称で且左右に回動自在に開閉できる請求項１に記載のタブレット操作補助具。
【請求項３】
タブレット操作補助具本体（１）の正面に吸盤を設け、背面側から固定レバーで操作し、タブレットをタブレット操作補助具本体に固定出来るようにした請求項１に記載のタブレット操作補助具。
【請求項４】
合成樹脂を素材とする、タブレット操作補助具本体（１）及びＬ型フレームは、木材または金属製の素材に変えて使用出来る請求項１記載のタブレット操作補助具。
【手続補正２】
【補正対象書類名】明細書
【補正対象項目名】０００７
【補正方法】変更
【補正の内容】
【０００７】
図５、図６、図７、図８のように、Ｌ型フレームの代わりに、タブレット操作補助具本体（１）の正面中央に吸盤（４−２）を設けて、背面側から固定レバー（４−１）で操作し、タブレットを固定して使用できるようにした。
【手続補正３】
【補正対象書類名】明細書
【補正対象項目名】００１４
【補正方法】変更
【補正の内容】
【００１４】
タブレット操作補助具本体（１）の正面中央にＬ型フレームに代えて吸盤（４−２）を設ける。背面側から固定レバー（４−１）で操作し、タブレットをタブレット操作補助具本体に固定出来るようにした。
タブレットを横に使用したい時は横向きに吸着させ、縦に使用したい時は縦向きに吸着させれば作業はスムーズに行え、吸盤により吸着させているのでタブレットは落ちてこない。
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
合成樹脂の素材からなる縦長の長方形の下部の腹部に接する部分を半円状の窪みとしたタブレット操作補助具本体（１）の正面に、正面から見てもＬ型であると同時に断面も
Ｌ型フレームを一対左右線対称で且左右に回動自在に開閉できるタブレット操作補助具。
【請求項２】
合成樹脂を素材とする、タブレット操作補助具本体（１）及び前記Ｌ型フレームは、
木材または金属製の素材に変えて使用出来る請求項１記載のブレット操作補助具。